(57)【要約】【課題】色覚健常者にとってのパターンの見え方を大きく変えることなく、色覚障害者にも視覚的に情報を伝達することが可能な視覚情報伝達方法を提供する。【解決手段】この視覚情報伝達方法では、「高温注意」という情報を視覚的に伝達するためのリング状のパターン３を円周方向に複数の副パターンに分割し、さらに各副パターンを第１および第２の領域に分割し、第１および第２の領域をそれぞれ赤色および朱色に着色する。このパターン３によれば、色覚健常者に「高温注意」という情報を正しく伝達することができ、色覚障害者に「注意」を喚起することができる。【選択図】図１
2007095447.tif 000002
【特許請求の範囲】
【請求項１】
色付きのパターンを用いて視覚的に情報を伝達する視覚情報伝達方法において、
前記パターンは複数の副パターンに分割され、
各副パターンは、色覚健常者に所定の情報を伝達する第１の色の第１の領域と、色覚障害者が感知することが可能な第２の色の第２の領域とを有し、
前記第１および第２の色は同系色であり、
前記第１および第２の領域は、前記第１および第２の色の各々を独立して識別できる程度の大きさを有することを特徴とする、視覚情報伝達方法。  
【請求項２】
発光面が前記第１および第２の領域に分割されたＬＥＤを用いて前記副パターンを表示し、
前記ＬＥＤは前記第２の色の光を出射し、
前記第２の色の光を前記第１の色の光に変換する波長変換膜を前記第１の領域に設けたことを特徴とする、請求項１に記載の視覚情報伝達方法。
【請求項３】
前記ＬＥＤは、複数の色のうちのいずれかの色の光を前記第２の色の光として選択的に出射することを特徴とする、請求項２に記載の視覚情報伝達方法。  
【請求項４】
色付きのパターンを用いて視覚的に情報を伝達する視覚情報伝達方法において、
前記パターンは、色覚健常者に所定の情報を伝達する第１の色になる第１の期間と、色覚障害者が感知することが可能な第２の色になる第２の期間とを有し、
前記第１および第２の色は同系色であり、
前記第１および第２の期間は、前記第１および第２の色の各々を独立して識別できる程度の周期で交互に切換えられることを特徴とする、視覚情報伝達方法。
【請求項５】
前記第１の期間の長さは、前記第２の期間の長さの３倍以上であることを特徴とする、請求項４に記載の視覚情報伝達方法。
【請求項６】
それぞれ前記第１および第２の色の光を出射し、前記所定の周期で交互に点灯される第１および第２のＬＥＤを用いて前記パターンを表示することを特徴とする、請求項４または請求項５に記載の視覚情報伝達方法。  
【請求項７】
前記第１および第２の色の光を前記所定の周期で交互に出射するＬＥＤを用いて前記パターンを表示することを特徴とする、請求項４または請求項５に記載の視覚情報伝達方法。    
【請求項８】
色付きのパターンを用いて視覚的に情報を伝達する視覚情報伝達方法において、
前記パターンの色の分光エネルギ帯は、色覚健常者に所定の情報を伝達する第１の色の波長と、色覚障害者が感知することが可能な第２の色の波長とを含み、
前記第１および第２の色は同系色であり、
前記第１の色の色強度の積分値は、前記第２の色の色強度の積分値よりも大きいことを特徴とする、視覚情報伝達方法。
【請求項９】
それぞれ前記第１および第２の色の光を出射する第１および第２のＬＥＤを用いて前記パターンを表示することを特徴とする、請求項８に記載の視覚情報伝達方法。  
【請求項１０】
ＬＥＤを用いて前記パターンを表示し、
前記ＬＥＤは前記第２の色の光を出射し、  
前記ＬＥＤの発光面に前記第２の色の光を前記第１の色の光に変換する波長変換膜を設けたことを特徴とする、請求項８に記載の視覚情報伝達方法。
【請求項１１】
前記第１の色は赤色であり、前記第２の色は朱色またはオレンジ色であることを特徴とする、請求項１から請求項１０までのいずれかに記載の視覚情報伝達方法。
【請求項１２】
前記第１の色は緑色であり、前記第２の色は青緑色であることを特徴とする、請求項１から請求項１０までのいずれかに記載の視覚情報伝達方法。
【請求項１３】
請求項１から請求項１２までのいずれかに記載の前記パターンが設けられたことを特徴とする、電気機器。  
【発明の詳細な説明】
【技術分野】
【０００１】
この発明は視覚情報伝達方法およびそれを用いた電気機器に関し、特に、色付きのパターンを用いて視覚的に情報を伝達する視覚情報伝達方法と、それを用いた電気機器に関する。
【背景技術】
【０００２】
従来より、高温部を有する電気機器には、使用者に「高温注意」という情報を視覚的に伝達するための赤色のパターンが設けられている。
【０００３】
しかし、赤色が暗く見える色覚障害者（２色型第１色盲者・色弱者およ２色型第２色盲者・色弱者を「色覚障害者」と総称する）にとっては「高温注意」を示す赤色のパターンが見え難いので、色覚障害者が高温部に触れて火傷を負う頻度が高くなった。そこで、色覚障害者でも感知できる朱色（オレンジ色）で「高温注意」のパターンを表示することが試みられた。
【０００４】
また、道路交通管制に用いる交通信号灯では、色覚健常者向けの主表示灯に隣接して、あるいはその内部に色覚障害者向けの補助表示灯を設ける方法が提案された（たとえば特許文献１参照）。
【特許文献１】特開２００２−２３１００３号公報
【発明の開示】
【発明が解決しようとする課題】
【０００５】
しかし、朱色のパターンは、色覚健常者にとっては「高温注意」ではなく「暖かい」ように感じられ、色覚健常者に「高温注意」という情報を正しく伝達することができなかった。
【０００６】
また電気機器では、交通信号灯のように、色覚健常者向けの主表示灯と色覚障害者向けの補助表示灯との両方を設けることは、コスト、消費電力、デザインなどの点で採用できない。
【０００７】
それゆえに、この発明の主たる目的は、色覚健常者にとってのパターンの見え方を大きく変えることなく、色覚障害者にも視覚的に情報を伝達することが可能な視覚情報伝達方法と、それを用いた電気機器とを提供することである。
【課題を解決するための手段】
【０００８】
この発明に係る視覚情報伝達方法は、色付きのパターンを用いて視覚的に情報を伝達する視覚情報伝達方法において、パターンは複数の副パターンに分割され、各副パターンは、色覚健常者に所定の情報を伝達する第１の色の第１の領域と、色覚障害者が感知することが可能な第２の色の第２の領域とを有し、第１および第２の色は同系色であり、第１および第２の領域は、第１および第２の色の各々を独立して識別できる程度の大きさを有することを特徴とする。したがって、第１および第２の色の各々を独立して識別できるので、第１および第２の色が混色して中間色となることがない。また、パターンを複数の副パターンに分割し、各副パターンを２つの領域に分割し、２つの領域を同系色で塗り分けたので、色覚健常者にとってパターンの見え方が大きく変わることはない。また、各副パターンの第２の領域の色により、色覚障害者にも視覚的に情報を伝達することができる。
【０００９】
好ましくは、発光面が第１および第２の領域に分割されたＬＥＤを用いて副パターンを表示し、ＬＥＤは第２の色の光を出射し、第２の色の光を第１の色の光に変換する波長変換膜が第１の領域に設けられる。
【００１０】
また好ましくは、ＬＥＤは、複数の色のうちのいずれかの色の光を第２の色の光として選択的に出射する。
【００１１】
また、この発明に係る他の視覚情報伝達方法は、色付きのパターンを用いて視覚的に情報を伝達する視覚情報伝達方法において、パターンは、色覚健常者に所定の情報を伝達する第１の色になる第１の期間と、色覚障害者が感知することが可能な第２の色になる第２の期間とを有し、第１および第２の色は同系色であり、第１および第２の期間は、第１および第２の色の各々を独立して識別できる程度の周期で交互に切換えられることを特徴とする。したがって、第１および第２の色の各々を独立して識別できる程度の周期で切換えるので、第１および第２の色の混色が生じることがない。また、パターンの色を同系色である第１および第２の色に交互に切換えるので、色覚健常者にとってパターンの見え方が大きく変わることはない。また、第２の色により、色覚障害者にも視覚的に情報を伝達することができる。なお、上記周期を１／３０秒程度以上にすれば、チラツキを感じず好適である。
【００１２】
好ましくは、第１の期間の長さは、第２の期間の長さの３倍以上である。
また好ましくは、それぞれ第１および第２の色の光を出射し、所定の周期で交互に点灯される第１および第２のＬＥＤを用いてパターンを表示する。
【００１３】
また好ましくは、第１および第２の色の光を所定の周期で交互に出射するＬＥＤを用いてパターンを表示する。
【００１４】
また、この発明に係るさらに他の視覚情報伝達方法は、色付きのパターンを用いて視覚的に情報を伝達する視覚情報伝達方法において、パターンの色の分光エネルギ帯は、色覚健常者に所定の情報を伝達する第１の色の波長と、色覚障害者が感知することが可能な第２の色の波長とを含み、第１および第２の色は同系色であり、第１の色の色強度の積分値は、第２の色の色強度の積分値よりも大きいことを特徴とする。したがって、色覚健常者にとってパターンの色は第１の色に近い色に見えるので、パターンの見え方が大きく変わることはない。また、色覚障害者には第２の色のパターンが見えるので、色覚障害者にも視覚的に情報を伝達することができる。
【００１５】
好ましくは、それぞれ第１および第２の色の光を出射する第１および第２のＬＥＤを用いてパターンを表示する。
【００１６】
また好ましくは、ＬＥＤを用いてパターンを表示し、ＬＥＤは第２の色の光を出射し、ＬＥＤの発光面に第２の色の光を第１の色の光に変換する波長変換膜が設けられる。あるいは、ＬＥＤを用いてパターンを表示し、ＬＥＤの発光色を第１および第２の色に別々に波長変換する第１および第２の波長変換膜がＬＥＤの発光面に設けられる。
【００１７】
また好ましくは、第１の色は赤色であり、第２の色は朱色またはオレンジ色である。
また好ましくは、第１の色は緑色であり、第２の色は青緑色である。
【００１８】
また、この発明に係る電気機器は、上記パターンが設けられていることを特徴とする。
【発明の効果】
【００１９】
以上のように、この発明に係る視覚情報伝達方法および電気機器では、色覚健常者にとってのパターンの見え方を大きく変えることなく、色覚障害者にも視覚的に情報を伝達することができる。
【発明を実施するための最良の形態】
【００２０】
[実施の形態１]
図１（ａ）（ｂ）は、この発明の実施の形態１による視覚情報伝達方法を説明するための図であり、それぞれ色覚健常者および色覚障害者にとってパターンがどのように見えるかを示す図である。図１（ａ）（ｂ）において、ＩＨクッキングヒータの高温を発生する部分には、２つのリング状のパターンが隣接して設けられている。
【００２１】
従来例１では、パターン１全体が赤色にされていた。このパターン１は、色覚健常者にとっては赤色に見え、色覚健常者であるＩＨクッキングヒータの使用者に「高温注意」という情報を視覚的に伝達する。しかし、このパターン１は、赤色が暗く見える色覚障害者にとっては見え難いので、色覚障害者が高温部に触れて火傷を負う頻度が高かった。
【００２２】
また従来例２では、パターン２全体が朱色に着色された。このパターン２は、色覚障害者にとっては黄色に見えるので、色覚障害者に「注意」を喚起することができる。しかし、朱色のパターン２は、色覚健常者にとっては「高温注意」ではなく「暖かい」ように感じられるので、色覚健常者に「高温注意」という情報を正しく伝達することができなかった。
【００２３】
そこで本願発明では、リング状のパターン３を円周方向に複数（図では８つ）の副パターンに分割し、さらに各副パターンを第１および第２の領域に分割し、第１および第２の領域をそれぞれ赤色および朱色に着色した。赤色は、波長が６２５〜８３０ｎｍの光を含む。朱色は、５９５〜６２５ｎｍの光を含む。パターン３は、塗料を用いて塗装したものやインクを用いて印刷したものでもよいし、ＬＥＤのような光源を用いて表示したものでもよい。なお、第１および第２の領域は、混色を防止するために所定の範囲以上の大きさを有するようにする。具体的には、各領域の視野角を０．３度以上（領域を直線状とし、１ｍ離れた位置から見るものとすると、各領域の長さは５．２３ｍｍ以上となる）にすることが好ましい。この点は、他の実施の形態でも同じである。
【００２４】
このパターン３には赤色と朱色が交互に付されているので、パターン３は色覚健常者に「火」を連想させ、「高温注意」という情報を正しく伝達することができる。また、このパターン３は、色覚障害者にとっては黄色の太い点線で描かれたリングに見えるので、色覚障害者に「注意」を喚起することができる。したがって、このパターン３によれば、色覚健常者にとってのパターン３の見え方を従来と大きく変えることなく、色覚障害者にも視覚的に情報を伝達することができる。
【００２５】
なお、この実施の形態１では、リング状のパターン３を設けたが、パターンの形は太い点線状のものでもよいし、同心円の重なったリング状のものでもよいし、水玉模様でもよい。
【００２６】
また、この実施の形態１では、パターン３をＩＨクッキングヒータの高温部に設けた場合について説明したが、パターン３を高温部を有する他のどのような電気機器、装置に設けても同じ効果が得られることは言うまでもない。たとえばパターン３を、ジャー炊飯器、オーブントースタ、ハロゲン調理器などのキッチン家電製品や、乾燥洗濯機、加湿器、電気暖房機、石油暖房機などの高温を発生するリビング・生活家電製品や、デジタル複合機、複写機などの本体ドア内に高温部のあるドキュメント機器や、プロジェクタ、オーディオアンプなどの高温を発生する部分のあるオーディオビジュアル機器に設けてもよい。
【００２７】
また、パターン３を赤色と朱色で構成したが、これに限るものではなく、パターン３を色覚健常者に所定の情報を視覚的に伝達する赤色以外の色と、その色と同系色で色覚障害者にも感知可能な色とで構成してもよい。たとえば、パターン３を色覚健常者に「クリーン」、「緑の森」、「環境」あるいは「冷温」という情報を視覚的に伝達する黄緑色と、黄緑色と同系色の青緑色とで構成しても、色覚健常者にとってのパターン３の見え方を従来と大きく変えることなく、色覚障害者にも視覚的に情報を伝達することができる。
【００２８】
[実施の形態２]
図２（ａ）（ｂ）は、この発明の実施の形態２による視覚情報伝達方法を説明するための図であり、それぞれ色覚健常者および色覚障害者にとってパターンがどのように見えるかを示す図である。図２（ａ）（ｂ）において、オーディオ機器には、音声レベルを表示するための発光インジケータが設けられている。
【００２９】
従来の発光インジケータ１１は、複数の赤色の面発光ＬＥＤ１２を上下方向に一列に配列したものである。各面発光ＬＥＤ１２は、四角形の発光面を有する。音声レベルが高くなるに従って、下側から順に面発光ＬＥＤ１２が点灯する。図２（ａ）（ｂ）では、下側の４つの面発光ＬＥＤ１２が点灯されている例が示されている。点灯した面発光ＬＥＤ１２は色覚健常者にとっては赤色に見え、点灯した面発光ＬＥＤ１２で表示される赤色の棒の長さは、色覚健常者であるオーディオ機器の使用者に「音声レベルの高低」という情報を視覚的に伝達する。しかし、赤色の面発光ＬＥＤ１２は、特に背景が黒い場合、赤色が暗く見える色覚障害者にとっては見え難かった。
【００３０】
これに対して本願発明の発光インジケータ１５は、複数の朱色の面発光ＬＥＤ１６を上下方向に一列に配列し、各面発光ＬＥＤ１６の四角形の発光面において、中央の所定形状（図では円形）の部分以外の部分に波長変換膜１７を形成したものである。波長変換膜１７は、面発光ＬＥＤ１６から出射された朱色の光の波長を長くして赤色の光に変換するものである。
【００３１】
波長変換膜１７は、面発光ＬＥＤ１６の発光面に印刷してもよい。また、波長変換膜１７の機能を、ＬＥＤ１６のレンズ部を構成する蛍光体に持たせてもよいし、ＬＥＤ１６の前面に配置されたフィルタに持たせてもよい。蛍光体とＬＥＤの組合せとしては、２３０ｎｍ〜６００ｎｍの波長領域の光を吸収し、６５０ｎｍの赤色帯にピークを持つ赤色窒化物蛍光体（ＣａＡｌＳｉＮ３：Ｅｕ２＋）と、朱色にピークを持ち可視光領域全域の光を出射するＬＥＤとの組合せが挙げられる。この組合せにより、赤色に大きなピークを持ち、かつ朱色にもピークを持つＬＥＤユニットを構成できる。
【００３２】
点灯した面発光ＬＥＤ１２は、色覚健常者にとっては中央の円形部が朱色に見えるとともにその周囲が赤色に見え、点灯した面発光ＬＥＤ１６で表示される赤色の棒の長さは、色覚健常者であるオーディオ機器の使用者に「音声レベルの高低」という情報を視覚的に伝達する。また、点灯した面発光ＬＥＤ１６は、色覚障害者にとっては黄色の円形に見えるので、黄色の円形部の数は、色覚障害者であるオーディオ機器の使用者に「音声レベルの高低」という情報を視覚的に伝達する。したがって、この発光インジケータ１５によれば、色覚健常者にとっての見え方を従来と大きく変えることなく、色覚障害者にも視覚的に情報を伝達することができる。
【００３３】
なお、この実施の形態２では、発光インジケータ１５を赤色と朱色で構成したが、これに限るものではなく、色覚健常者に「音声レベル」を視覚的に伝達する赤色以外の色と、その色と同系で色覚障害者にも感知可能な色とで構成してもよい。たとえば、赤色の面発光ＬＥＤ１６の代わりに青緑色の面発光ＬＥＤを使用し、波長変換膜１７によって青緑色の光の波長を長くして黄緑色の光に変換してもよい。これは、空気清浄機の空気の清浄度を表したり、太陽光発電システムのモニタで、ＣＯ２削減効果による森林の増加などを表したりする場合などによい。
【００３４】
また、朱色の面発光ＬＥＤ１６と、朱色の光の波長を長くして赤色の光に変換する波長変換膜１７とを用いたが、逆に、赤色の面発光ＬＥＤと、赤色の光の波長を短くして朱色の光に変換する波長変換膜とを用いてもよい。また、朱色と赤色の光を出射する面発光ＬＥＤと、朱色および赤色のうちの一方の色の光を透過させ、他方の光を吸収するフィルタ膜を用いてもよい。フィルタとしては、波長校正フィルタなどがある。
【００３５】
[実施の形態３]
図３（ａ）（ｂ）は、この発明の実施の形態３による視覚情報伝達方法を説明するための図であり、それぞれ色覚健常者および色覚障害者にとってパターンがどのように見えるかを示す図である。図３（ａ）（ｂ）において、空気清浄機には、室内空気のクリーン度を表示するための発光インジケータが設けられている。
【００３６】
従来の発光インジケータ２１は、複数（図では７つ）の面発光ＬＥＤ２２を左右方向に一列に配列したものである。各面発光ＬＥＤ２２は、四角形の発光面を有し、赤色および緑色のうちのいずれか一方の色の光を選択的に出射する。室内空気のクリーン度が非常に高い場合は全ての面発光ＬＥＤ２２が緑色に発光し、室内空気のクリーン度が低くなるに従って左側から順に面発光ＬＥＤ２２が赤色に発光する。色覚健常者にとっては、赤色に点灯した面発光ＬＥＤ２２は赤色に見え、緑色に点灯した面発光ＬＥＤ２２は緑色に見え、点灯した面発光ＬＥＤ２２で表示される赤色と緑色の棒の長さの比は、色覚健常者である空気清浄機の使用者に「クリーン度の高低」という情報を視覚的に伝達する。しかし、色覚障害者にとっては赤色および緑色は、両者とも茶色に見え、それらを区別することは難しかった。
【００３７】
これに対して本願発明の発光インジケータ２５は、複数の面発光ＬＥＤ２６を左右方向に一列に配列し、各面発光ＬＥＤ２６の四角形の発光面において、中央の所定形状（図では円形）の部分以外の部分に波長変換膜２７を形成したものである。各面発光ＬＥＤ２６は、四角形の発光面を有し、朱色および青緑色のうちのいずれかの色の光を選択的に出射する。波長変換膜２７は、面発光ＬＥＤ１６から出射された朱色および青緑色の光の波長を長くしてそれぞれ赤色および緑色の光に変換するものである。
【００３８】
色覚健常者にとっては、朱色に点灯した面発光ＬＥＤ２６の発光面は、中央の円形部が朱色に見えるとともにその周囲が赤色に見え、青緑色に点灯した面発光ＬＥＤ２６の発光面は、中央の円形部が青緑色に見えるとともにその周囲が緑色に見え、点灯した面発光ＬＥＤ２６で表示される赤色と緑色の棒の長さの比は、色覚健常者である空気清浄機の使用者に「クリーン度の高低」という情報を視覚的に伝達する。
【００３９】
また色覚障害者にとっては、朱色に点灯した面発光ＬＥＤ２６の発光面は、中央の円形部が黄色に見えるとともにその周囲が茶色に見え、青緑色に点灯した面発光ＬＥＤ２６の発光面は、中央の円形部が灰色に見えるとともにその周囲が茶色に見え、点灯した面発光ＬＥＤ２６で表示される黄色と灰色の○の数の比は、色覚障害者である空気清浄機の使用者に「クリーン度の高低」という情報を視覚的に伝達する。したがって、この発光インジケータ２５によれば、色覚健常者にとっての見え方を従来と大きく変えることなく、色覚障害者にも視覚的に情報を伝達することができる。
【００４０】
また図４（ａ）（ｂ）は、この実施の形態３の変更例を説明するための図であり、それぞれ色覚健常者および色覚障害者にとって発光インジケータ２８がどのように見えるかを示す図である。この発光インジケータ２８が、図３（ａ）（ｂ）の発光インジケータ２５と異なる点は、波長変換膜２７の形状である。この発光インジケータ２８では、各面発光ＬＥＤ２６の四角形の発光面の右斜め下半分の領域に波長変換膜２７が形成される。この変更例でも、実施の形態３と同じ効果が得られる。
【００４１】
[実施の形態４]
図５は、図１（ａ）（ｂ）で示した従来例１のパターン１が設けられたＩＨクッキングヒータの要部を示す断面図である。図５において、このＩＨクッキングヒータでは、筐体を構成するガラス板３０の所定位置に２つのリング状の窓３１が隣接して設けられており、その各窓３１の裏側にリング状のＬＥＤランプ３２が配置されている。ガラス板３０の面に遮光膜が形成されており、この遮光膜をパターニングすることによって窓３１が形成されている。そして、ＬＥＤランプ３２は、図６に示すように、主に赤色の光を出射する。
【００４２】
この赤色のパターン１は、図１（ａ）（ｂ）の従来例１で説明したように、色覚健常者にとっては赤色に見えるが、色覚障害者にとっては暗くて見え難い。一方、朱色のパターン２は、図１（ａ）（ｂ）の従来例２で説明したように、色覚健常者にとっては朱色に見えて「高温注意」という情報を正しく伝達することができないが、色覚障害者にとっては黄色に見え、注意を喚起することができる。
【００４３】
そこで、この実施の形態４では、図７に示すように、赤色のＬＥＤランプ３２の内側に朱赤色のＬＥＤランプ３６を設け、所定の周期で交互に点灯させることにより、「高温注意」のパターン３５を表示する。ＬＥＤランプ３６の出射光は、図８に示すように、朱赤色の周波数に鋭いピークを有する。ＬＥＤランプ３２とＬＥＤランプ３６を３０回／秒以上の頻度で切換えると、光のちらつきが見えなくなるが、ＬＥＤランプ３２とＬＥＤランプ３６の点灯期間が均等であれば、ＬＥＤランプ３２とＬＥＤランプ３６の色が混色して中間色となり、色覚健常者にとってはパターンを赤色から朱赤色に変更したことと同じになってしまう。したがって、そのような混色が起こらないように、ＬＥＤランプ３２とＬＥＤランプ３６の点灯期間の割合を３対１程度以上の差にすることが好ましい。
【００４４】
この実施の形態４でも、色覚健常者にとってのパターン３５の見え方を従来と大きく変えることなく、色覚障害者にも視覚的に情報を伝達することができる。
【００４５】
なお、この実施の形態４では、赤色と朱色のＬＥＤランプを交互に点灯させてパターン３５を表示したが、他の同系色の２つのＬＥＤランプを交互に点灯させてパターンを表示させてもよい。たとえば、緑色のＬＥＤランプと青緑色のＬＥＤランプを交互に点灯させてパターンを表示してもよい。
【００４６】
また、赤色と朱色のうちのいずれか１つの色を選択的に出射することが可能な面発光ＬＥＤを使用し、赤色の光と朱色の光とを所定の周期で交互に出射してもよい。
【００４７】
[実施の形態５]
図９は、この発明の実施の形態５によるＩＨクッキングヒータの要部を示す断面図であって、図５と対比される図である。図９を参照して、このＩＨクッキングヒータのパターン４１が図５のパターン１と異なる点は、ＬＥＤランプ３２がＬＥＤランプ４２で置換されている点である。
【００４８】
また図１０は、図９に示したＬＥＤランプ４２の出射光の分光エネルギを示す図であって、図６と対比される図である。図６を参照して、このＬＥＤランプ４２がＬＥＤランプ３２と異なる点は、赤色の波長のピークに加え、朱色の波長にも鋭いピークがある点である。
【００４９】
ＬＥＤランプ４２から出射される光のうちの５９５〜６２５ｎｍの色強度の積分値が６２５〜８３０ｎｍの色強度の積分値と同等であれば、ＬＥＤランプ４２は色覚健常者にとっては赤色と朱色の中間の色に見えてしまうので、ＬＥＤランプ４２から出射される光の５９５〜６２５ｎｍの色強度の積分値は６２５〜８３０ｎｍの色強度の積分値の１／４程度に設定されている。ＬＥＤランプ４２は、６２５〜８３０ｎｍの光を出射するＬＥＤランプの発光面に波長変換膜を形成することによって作成される。したがって、パターン４１は、色覚健常者にとっては赤色に見えて「高温注意」という情報を伝達することができ、色覚障害者にとっては黄色に見えて注意を喚起することができる。
【００５０】
この実施の形態５でも、色覚健常者にとってのパターン４１の見え方を従来と大きく変えることなく、色覚障害者にも視覚的に情報を伝達することができる。
【００５１】
なお、この実施の形態５では、１つのＬＥＤランプ４２を点灯して朱赤色と赤色の２つのピークを有する光を出射したが、図７で示したように、赤色のＬＥＤランプ３２と朱色のＬＥＤランプ３６の両方を点灯して２つのピークを有する光を出射してもよい。ただし、パターンの色が朱色に近い色にならないように、ＬＥＤランプ３２の光強度をＬＥＤランプ３６の光強度よりも強く設定する必要がある。
【００５２】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００５３】
【図１】この発明の実施の形態１による視覚情報伝達方法を説明するための図である。
【図２】この発明の実施の形態２による視覚情報伝達方法を説明するための図である。
【図３】この発明の実施の形態３による視覚情報伝達方法を説明するための図である。
【図４】実施の形態３の変更例を示す図である。
【図５】従来のＩＨクッキンッグヒータの問題点を説明するための図である。
【図６】図５に示したＬＥＤランプの分光エネルギ示す図である。
【図７】この発明の実施の形態４によるＩＨクッキングヒータを説明するための図である。
【図８】図７に示したＬＥＤランプの分光エネルギ示す図である。
【図９】この発明の実施の形態５によるＩＨクッキングヒータを説明するための図である。
【図１０】図９に示したＬＥＤランプの分光エネルギを示す図である。
【符号の説明】
【００５４】
１，２，３，３５，４１  パターン、１１，１５，２１，２５，２８  発光インジケータ、１２，１６，２２，２６  面発光ＬＥＤ、１７，２７  波長変換膜、３０  ガラス板、３１  窓、３２，３６，４２  ＬＥＤランプ。
【図５】
2007095447.tif 000003
【図６】
2007095447.tif 000004
【図７】
2007095447.tif 000005
【図８】
2007095447.tif 000006
【図９】
2007095447.tif 000007
【図１０】
2007095447.tif 000008
【図１】
2007095447.tif 000009
【図２】
2007095447.tif 000010
【図３】
2007095447.tif 000011
【図４】
2007095447.tif 000012